(57)【要約】      （修正有）【課題】クリスマスリースなどの装飾品において、１組の電源装置でワイヤーライトによる演出と模擬キャンドルによる演出とを同時に作動することができるコンパクトな電飾装置及びこれを用いた装飾品を提供する。【解決手段】給電ワイヤー１１と給電ワイヤーに間隔を置いて装着された複数の発光ダイオード１２を備えたワイヤーライト１０、キャンドル筒本体とキャンドル筒本体の上端部に支持されて遊動する模擬炎２２と模擬炎を照明するスポットライトとを備えた模擬キャンドル２０、及び、ワイヤーライトと模擬キャンドルとを同時に作動するための１組のバッテリーケース３０、４０を有している。【選択図】図１
0003204667.tif 000002
【実用新案登録請求の範囲】
【請求項１】
クリスマスリースなどの装飾品を照明により演出するための電飾装置であって、
給電ワイヤーと当該給電ワイヤーに間隔を置いて装着された複数の発光ダイオードとを備えたワイヤーライト、
キャンドル筒本体と当該キャンドル筒本体の上端部に支持されて遊動する模擬炎と当該模擬炎を照明するスポットライトとを備えた模擬キャンドル、及び、
前記ワイヤーライトと前記模擬キャンドルとを同時に作動するための１組のバッテリーケースを有していることを特徴とする電飾装置。
【請求項２】
ワイヤーライト制御回路、キャンドル制御回路、及び、電飾の作動時間制御回路を備え、
前記キャンドル制御回路は、前記模擬炎の動きを制御する揺らぎ発生コイルと当該模擬炎を照明する前記スポットライトとの作動を制御することを特徴とする請求項１に記載の電飾装置。
【請求項３】
前記１組のバッテリーケースは、それぞれに電池を２本収容できる２つの電池ケースからなり、
当該電池ケースの４つの電池収容部のうち３つの電池収容部には、前記バッテリーケースの電圧出力が４．５Ｖとなるように３本の電池を直列に収容し、
電池を収容していない１つの電池収容部には、前記作動時間制御回路及び必要によりワイヤーライト制御回路を収容していることを特徴とする請求項２に記載の電飾装置。
【請求項４】
前記キャンドル筒本体には、前記キャンドル制御回路を収容していることを特徴とする請求項２又は３に記載の電飾装置。
【請求項５】
前記電池ケース及び模擬キャンドルは、それぞれを装飾品に固定するための支持具を具備していることを特徴とする請求項１〜４のいずれか１つに記載の電飾装置。
【請求項６】
請求項１〜５に記載の電飾装置を装着してなる装飾品であって、
前記ワイヤーライトの発光ダイオード及び前記模擬キャンドルは、当該装飾品の正面に目視できる状態で配され、
前記２つの電池ケースは、当該装飾品の背面に正面から目視できない状態で配されていることを特徴とする装飾品。
【考案の詳細な説明】
【技術分野】
【０００１】
本考案は、電飾装置及びこれを用いた装飾品に関するものである。特に、ワイヤーライトと模擬キャンドルとを有して、クリスマスリースなどの装飾品を照明により演出するための電飾装置に関するものである。
【背景技術】
【０００２】
クリスマスツリーやクリスマスリースなどの装飾品には、花や木の実、或いは色々な小物により賑やかな装飾が施されている。特に、クリスマスツリーには、豆電球や発光ダイオード光源（以下「ＬＥＤライト」ともいう）を多数装着した電飾装置（「ワイヤーライト」を含む）を用いてライトアップによる艶やかな電飾が施されることが多い。
【０００３】
また、近年ではクリスマスリースにもクリスマスツリーと同様に電飾装置による装飾が施されるようになった。これらは、ＬＥＤライトや光ファイバーによる電飾装置の小型化が可能になったことなどによる。例えば、下記特許文献１及び２においては、クリスマスリースの葉材部に光ファイバーを合わせ入れたクリスマス用飾りが提案されている。このクリスマス用飾りは、クリスマスリースの本体背面部に乾電池を取り付けることにより、光ファイバーが発光するというものである。
【０００４】
下記特許文献１及び２に記載のクリスマス用飾りにおいては、クリスマスリースが光ファイバーにより豪華に電飾されている。しかし、これらの電飾を更に華やかに、また人目を引くようなものにしたいという要求がある。例えば、クリスマスに相応しいキャンドルを装飾したいという要求などがある。しかし、小物が多く壁掛けなどとして飾り付けられるクリスマスリースや、これよりも大きく床置きが可能なクリスマスツリーなどにおいても、火災防止の意味から炎の付いたキャンドルを装飾することはできない。
【０００５】
一方、下記特許文献３においては、実際の炎ではなく安全な模擬炎が揺らぐ運動学的な炎装置が提案されている。この炎装置（「模擬キャンドル」といえる）は、実際のキャンドルを模倣して作製されたハウジング（「キャンドル筒本体」といえる）の上端部に炎シルエット要素（「模擬炎」といえる）を支持し、時間変化する電磁場と磁石の作用により模擬炎が遊動するように揺れ動く。更に、遊動する模擬炎にスポットライトを当てることにより、キャンドルの炎が揺らいでいるように演出するというものである。
【先行技術文献】
【特許文献】
【０００６】
【特許文献１】意匠登録第１１５２４８６号公報
【特許文献２】意匠登録第１１５２４８７号公報
【特許文献３】特表２０１２−５０４３１０号公報
【考案の概要】
【考案が解決しようとする課題】
【０００７】
ところで、上記特許文献１及び２で提案されるクリスマスリースにおいては、光ファイバーと電飾制御回路と電源装置（この場合は乾電池）とが一体となっている。一方、上記特許文献３に提案される模擬キャンドルにおいては、大きなキャンドル筒本体に模擬炎遊動機構、揺らぎ制御回路、光源、光源制御回路、及び電源装置（この場合は電池）の全てが内蔵されている。
【０００８】
従って、１つのクリスマスリースやクリスマスツリーにおいて、ワイヤーライトによる電飾と模擬キャンドルによる電飾を同時に装飾することは、電源装置の数やキャンドル筒本体のサイズからして相当に難しい。特に、小物が多く壁掛けなどとして飾り付けられるクリスマスリースにおいては、ワイヤーライトに加えて模擬炎遊動機構や光源と複数の制御回路と電源装置とを内蔵した比較的大きな模擬キャンドルを装飾することは難しい。
【０００９】
そこで、本考案は、以上のようなことに対処して、クリスマスリースなどの装飾品において、１組の電源装置でワイヤーライトによる演出と模擬キャンドルによる演出とを同時に作動することができるコンパクトな電飾装置及びこれを用いた装飾品を提供することを目的とする。
【課題を解決するための手段】
【００１０】
上記課題の解決にあたり、本考案者は、鋭意研究の結果、既存のコンパクトな電池ケースを利用して、ワイヤーライトと模擬キャンドルとを同時に作動することのできる電力を確保することにより、上記目的を達成できることを見出し本考案の完成に至った。
【００１１】
即ち、本考案に係る電飾装置は、請求項１の記載によると、
クリスマスリースなどの装飾品（５０、５１、５２、５３、５４、５５）を照明により演出するための電飾装置（１００）であって、
給電ワイヤー（１１）と当該給電ワイヤーに間隔を置いて装着された複数の発光ダイオード（１２）とを備えたワイヤーライト（１０）、
キャンドル筒本体（２１）と当該キャンドル筒本体の上端部に支持されて遊動する模擬炎（２２）と当該模擬炎を照明するスポットライト（２７）とを備えた模擬キャンドル（２０）、及び、
前記ワイヤーライトと前記模擬キャンドルとを同時に作動するための１組のバッテリーケース（３０、４０）を有していることを特徴とする。
【００１２】
また、本考案は、請求項２の記載によると、請求項１に記載の電飾装置であって、
ワイヤーライト制御回路（１５）、キャンドル制御回路（２５）、及び、電飾の作動時間制御回路（４６）を備え、
前記キャンドル制御回路は、前記模擬炎の動きを制御する揺らぎ発生コイル（２６）と当該模擬炎を照明する前記スポットライト（２７）との作動を制御することを特徴とする。
【００１３】
また、本考案は、請求項３の記載によると、請求項２に記載の電飾装置であって、
前記１組のバッテリーケースは、それぞれに電池を２本収容できる２つの電池ケースからなり、
当該電池ケースの４つの電池収容部（３４、３５、４４、４５）のうち３つの電池収容部（３４、３５、４４）には、前記バッテリーケースの電圧出力が４．５Ｖとなるように３本の電池を直列に収容し、
電池を収容していない１つの電池収容部（４５）には、前記作動時間制御回路及び必要によりワイヤーライト制御回路を収容していることを特徴とする。
【００１４】
また、本考案は、請求項４の記載によると、請求項２又は３に記載の電飾装置であって、
前記キャンドル筒本体には、前記キャンドル制御回路を収容していることを特徴とする。
【００１５】
また、本考案は、請求項５の記載によると、請求項１〜４のいずれか１つに記載の電飾装置であって、
前記電池ケース及び模擬キャンドルは、それぞれを装飾品に固定するための支持具（２８、４３）を具備していることを特徴とする。
【００１６】
また、本考案に係る装飾品は、請求項６の記載によると、
請求項１〜５に記載の電飾装置を装着してなる装飾品であって、
前記ワイヤーライトの発光ダイオード及び前記模擬キャンドルは、当該装飾品の正面に目視できる状態で配され、
前記２つの電池ケースは、当該装飾品の背面に正面から目視できない状態で配されていることを特徴とする。
【考案の効果】
【００１７】
上記構成によれば、電飾装置は、ワイヤーライト、模擬キャンドル、及び、１組のバッテリーケースを有している。ワイヤーライトは、給電ワイヤーと当該給電ワイヤーに間隔を置いて装着された複数の発光ダイオードを備えている。模擬キャンドルは、キャンドル筒本体と当該キャンドル筒本体の上端部に支持されて遊動する模擬炎と当該模擬炎を照明するスポットライトとを備えている。１組のバッテリーケースは、ワイヤーライトと模擬キャンドルとを同時に作動することができる。これらのことにより、１組の電源装置でワイヤーライトによる演出と模擬キャンドルによる演出とを同時に作動することができる。
【００１８】
また、上記構成によれば、電飾装置は、ワイヤーライト制御回路、キャンドル制御回路、及び、電飾の作動時間制御回路を備えている。このうち、キャンドル制御回路は、模擬炎の動きを制御する揺らぎ発生コイルと当該模擬炎を照明するスポットライトとの作動を制御する。このことにより、模擬キャンドルによる演出がより効果的となる。
【００１９】
また、上記構成によれば、電飾装置が有する１組のバッテリーケースは、それぞれに電池を２本収容できる２つの電池ケースからなる。この電池ケースの４つの電池収容部のうち３つの電池収容部には、バッテリーケースの電圧出力が４．５Ｖとなるように３本の電池を直列に収容する。また、電池を収容していない１つの電池収容部には、作動時間制御回路を収容する。この１つの電池収容部には、必要によりワイヤーライト制御回路を収容することもできる。更に、上記構成によれば、模擬キャンドルが有するキャンドル筒本体には、キャンドル制御回路を収容する。これらのことにより、電飾装置がコンパクトな構成となると共にキャンドル筒本体も細く小さくすることができる。
【００２０】
また、上記構成によれば、電飾装置が有する電池ケース及び模擬キャンドルは、それぞれを装飾品に固定するための支持具を具備している。このことにより、コンパクトな電飾装置の装着が容易となり、ワイヤーライトによる演出と模擬キャンドルによる演出とがより効果的となる。
【００２１】
また、上記構成の電飾装置を装着した装飾品において、ワイヤーライトの発光ダイオード及び模擬キャンドルは、当該装飾品の正面に目視できる状態で配されている。また、２つの電池ケースは、当該装飾品の背面に正面から目視できない状態で配されている。このように、コンパクトな電飾装置においては、その装着が容易となり、ワイヤーライトによる演出と模擬キャンドルによる演出とがより効果的となる。
【００２２】
よって、本考案によれば、クリスマスリースなどの装飾品において、１組の電源装置でワイヤーライトによる演出と模擬キャンドルによる演出とを同時に作動することができるコンパクトな電飾装置及びこれを用いた装飾品を提供することができる。
【図面の簡単な説明】
【００２３】
【図１】本考案に係る電飾装置の１実施形態を示す概要図である。
【図２】本考案に係る電飾装置の電気回路を示すブロック図である。
【図３】図１の電飾装置の電池ケースをクリスマスリースの背面に装着する状態を示す概要図である。
【図４】図１の電飾装置のワイヤーライトをクリスマスリースの正面に装着する状態を示す概要図である。
【図５】図１の電飾装置の模擬キャンドルをクリスマスリースの中央空間に装着する状態を示す概要図である。
【図６】図１の電飾装置を装着した実施例１に係るクリスマスリースを正面から写した写真である。
【図７】図６のクリスマスリースを背面から写した写真である。
【図８】図６のクリスマスリースを右側面から写した写真である。
【図９】図１の電飾装置を装着した実施例２に係るクリスマスリースを正面から写した写真である。
【図１０】図１の電飾装置を装着した実施例３に係るクリスマスリースを正面から写した写真である。
【図１１】図１の電飾装置を装着した実施例４に係るクリスマスリースを正面から写した写真である。
【図１２】図１の電飾装置を装着した実施例５に係るクリスマスツリーを正面から写した写真である。
【考案を実施するための形態】
【００２４】
以下、本考案に係る電飾装置の１実施形態を図面により説明する。また、この実施形態に係る電飾装置を装着した装飾品を各実施例により説明する。なお、本考案は、下記の実施形態及び各実施例に限定されるものではない。
【００２５】
図１は、本考案に係る電飾装置の１実施形態を示す概要図である。図１において、電飾装置１００は、ワイヤーライト１０、模擬キャンドル２０、２つの電池ケース３０、４０、及び、電飾時間を制御するタイマー（制御回路４６）を有している。ワイヤーライト１０は、＋側と−側の２本からなる給電ワイヤー１１と、これに接続された複数のＬＥＤライト１２（「リース用ＬＥＤ１２」ともいう）と、ワイヤーライト制御回路（図示しない）とを備えている。給電ワイヤー１１は、その端部を電池ケース３０、４０に接続されて電力を各リース用ＬＥＤ１２に供給する。なお、給電ワイヤー１１と電池ケース３０、４０とは、脱着可能なコネクタによって接続するようにしてもよい。
【００２６】
リース用ＬＥＤ１２は、消費電力の少ない発光ダイオード（Ｌｉｇｈｔ  Ｅｍｉｔｔｉｎｇ  Ｄｉｏｄｅ）を光源としたもので、多数のＬＥＤライトが乾電池などの僅かの電源で長時間作動することができる。なお、リース用ＬＥＤ１２の発色光の色彩は、白色光、赤色光、青色光、黄色光などでもよく、或いは、これらの色彩に限定することなく、任意の色彩、任意の組み合わせを選定することができる。また、リース用ＬＥＤ１２の個数についても特に限定するものではない。例えば、本実施形態においては、２０球のリース用ＬＥＤ１２を備えたワイヤーライト１０を使用する。なお、ワイヤーライト制御回路については後述する。
【００２７】
また、図１において、模擬キャンドル２０は、キャンドル筒本体２１と模擬炎２２とスポットライト（図示しない）とキャンドル制御回路（図示しない）と模擬炎遊動機構（図示しない）とキャンドル支持具（図示しない）とを備えている。なお、模擬キャンドル２０は、給電コード２３により電池ケース３０、４０に接続されて電力の供給を受ける。なお、模擬キャンドル２０と電池ケース３０、４０とは、脱着可能なコネクタ２４によって接続される。
【００２８】
このように、模擬キャンドル２０と電池ケース３０、４０とが分離されているので、電池などの電源をキャンドル筒本体２１に収容することなく、模擬キャンドル２０のサイズをコンパクトにすることができる。なお、本実施形態においては、長さ８ｃｍ又は１２ｃｍの細身のキャンドル筒本体２１を使用した。このサイズのキャンドル筒本体２１には、３本の単三電池を内部に収容することができない。
【００２９】
キャンドル筒本体２１は、その内空部にキャンドル制御回路と模擬炎遊動機構とスポットライトとを収容しており、模擬炎遊動機構の上端部に模擬炎２２が支持され、キャンドル筒本体２１の上方部に突出している。なお、模擬炎遊動機構については、特に限定するものではなく、模擬炎２２が遊動するように揺らす機構であればよい。本実施形態においては、上述の特許文献３で提案されているように、時間変化する電磁場を発生させる揺らぎコイルと永久磁石との組み合わせを採用する。
【００３０】
スポットライトは（図示しない）、遊動する模擬炎２２に照明を当てるものであって、模擬炎２２が実際に炎のように揺らぐ効果を演出する。このスポットライトは、キャンドル筒本体２１に内蔵されている。なお、本実施形態においては、スポットライトとしてＬＥＤライト（「炎ＬＥＤ」ともいう）を採用する。上述のように、ＬＥＤライトを採用することにより乾電池などの僅かの電源で長時間作動することができる。キャンドル制御回路は、模擬炎遊動機構のコイルを制御して時間変化する電磁場を発生させる揺らぎコイル制御回路と、スポットライトの炎ＬＥＤ制御回路とから構成されている。なお、キャンドル支持具については後述する。
【００３１】
また、図１において、２つの電池ケース３０、４０は、それぞれケース本体３１、４１と、蓋３２、４２と、ケース支持具３３、４３（後述する）から構成されている。ケース本体３１、４１は、それぞれ２本の乾電池を収容できる電池収容部３４、３５、４４、４５を有している。なお、使用する乾電池の種類は、特に限定するものではないが、小さなサイズと電池の寿命とを考慮して単三電池を使用することが好ましい。また、ＬＥＤライトを安定して照明させるために、単三電池を３本直列に接続して４．５Ｖの電圧を確保することが好ましい。なお、本実施形態においては、単三アルカリ電池を３本使用することにより、タイマーで１日６時間の点灯を繰り返して約１か月の寿命を確認した。
【００３２】
また、本実施形態においては、単三電池を２本収容する小型の電池ケースを２つ使用する。電池ケースを２つ使用するのは、クリスマスリースなどの小型の装飾品の背面に左右に分離して安定に装着するためである。電池ケースを２つ使用し、それらのサイズが小さいことにより、小型の装飾品の正面から電池ケースが覗くということがなく、電飾効果をより効果的に演出することができる。
【００３３】
なお、本実施形態においては、４．５Ｖの電圧を確保するために２つの電池ケース３０、４０の４つの電池収容部３４、３５、４４、４５のうち、３つの電池収容部３４、３５、４４に単三電池３本を収容して直列に接続する。また、電池を収容しない電池収容部４５には、上述の電飾時間を制御するタイマーを構成する作動時間制御回路４６を収容している。なお、この電池収容部４５には、作動時間制御回路４６に加え、ワイヤーライト制御回路を収容するようにしてもよい。
【００３４】
次に、本考案に係る電飾装置１００の電気回路について説明する。図２は、本考案に係る電飾装置１００の電気回路を示すブロック図である。図２においては、２つの電池ケース３０、４０をバッテリーケース３０（４０）として表している。また、このバッテリーケース３０（４０）の内部には、上述のように、３本の単三電池が直列に接続されており、４．５Ｖの出力を有している。
【００３５】
図２において、バッテリーケース３０（４０）から配線された＋側と−側の２本からなる給電コード１３は、２つのコネクタ１４、２４に分岐される。コネクタ１４は、ワイヤーライト１０のワイヤーライト制御回路１５を介して給電ワイヤー１１によってリース用ＬＥＤ１２に電力を供給する。なお、本実施形態においては、ワイヤーライト制御回路１５は定電流回路である。
【００３６】
一方、コネクタ２４は、模擬キャンドル２０のキャンドル制御回路２５を介して、模擬炎遊動機構の揺らぎコイル２６及び炎ＬＥＤ２７に電力を供給する。なお、キャンドル制御回路２５の揺らぎコイル制御回路２５ａは、揺らぎコイル２６への電力を制御して時間変化する電磁場を発生させる。また、キャンドル制御回路２５の炎ＬＥＤ制御回路２５ｂは、炎ＬＥＤ２７への電力を制御する定電流回路である。
【００３７】
このように構成した電飾装置１００は、１組の電源装置でワイヤーライトによる演出と模擬キャンドルによる演出とを同時に作動することができる。また、この電飾装置１００は、コンパクトな構成であってクリスマスリースなどの装飾品を華やかに装飾することができる。
【００３８】
次に、このように構成した本実施形態に係る電飾装置１００をクリスマスリースに装着する工程を説明する。図３〜図５は、電飾装置１００をクリスマスリースに装着する各工程を示している。図３は、電飾装置１００の電池ケース３０、４０をクリスマスリース５０の背面に装着する状態を示す概要図である。また、図３Ａは、背面の全体図であり、図３Ｂは、その一部拡大図である。
【００３９】
図３Ａにおいて、クリスマスリース５０の背面の左側に電池ケース３０のケース本体３１を固定し、背面の右側に電池ケース４０のケース本体４１を固定する。図３Ｂは、ケース本体３１の固定部分の拡大図である。クリスマスリース５０の背面への電池ケース３０の装着には、どのような方法も用いてもよい。なお、本実施形態においては、ケース本体３１の左右に一体的に構成された２つの「コの字型」のケース支持具３３を結束用ワイヤー３６でクリスマスリース５０に固定することが好ましい。また、ケース本体３１と同様にしてケース本体４１のケース支持具４３をクリスマスリース５０の背面の右側に固定する。
【００４０】
次に、図４は、電飾装置１００のワイヤーライト１０をクリスマスリース５０の正面に装着する状態を示す概要図である。本実施形態においては、上述のように、２０球のリース用ＬＥＤ１２を備えたワイヤーライト１０を使用する。図４において、ワイヤーライト１０の給電ワイヤー１１をクリスマスリース５０の全体に巻き付ける。このとき、２０球のリース用ＬＥＤ１２の多くがクリスマスリース５０の表面側に出るように巻き付ける。なお、電池ケース３０のケース本体３１にワイヤーライト１０が接続された状態で巻き付けてもよく、或いは、ワイヤーライト１０を巻き付けてからコネクタによって電池ケース３０のケース本体３１と接続するようにしてもよい。
【００４１】
次に、図５は、電飾装置１００の模擬キャンドル２０をクリスマスリース５０の中央空間に装着する状態を示す概要図である。なお、図５は、クリスマスリース５０の下方部の背面側からの拡大図である。図５において、まず、模擬キャンドル２０の台座となるキャンドル支持具２８をクリスマスリース５０の下部上面の中央に背面側から固定する。なお、キャンドル支持具２８の形状は、どのようなものであってもよい。また、クリスマスリース５０へのキャンドル支持具２８の固定には、どのような方法も用いてもよい。なお、本実施形態においては、「Ｌ字型」に成形されたキャンドル支持具２８をクリスマスリース５０の下部上面の中央に背面側から覆いかぶせるようにして結束用ワイヤー３６で固定することが好ましい。
【００４２】
次に、このようにして固定したキャンドル支持具２８の上面部２８ａに模擬キャンドル２０のキャンドル筒本体２１の下端部２１ａを乗せて固定する（図５参照）。なお、キャンドル支持具２８の上面部２８ａへのキャンドル筒本体２１の固定には、どのような方法も用いてもよい。なお、本実施形態においては、ホットメルト接着剤のスティックを熱融着させる器具であるグルーガン（登録商標）などを使用することが好ましい。次に、模擬キャンドル２０の給電コード２３を電池ケース３０（４０）の給電コード１３とコネクタ２４を介して接続する。このようにして固定した模擬キャンドル２０は、クリスマスリース５０の正面中央空間に装着されている。最後に、電池ケース３０、４０に単三電池３本を収容して蓋３２、４２を被せる。
【００４３】
ここで、本実施形態に係る電飾装置１００を実際のクリスマスリース及びクリスマスツリーに装着した状態を各実施例により説明する。
【実施例１】
【００４４】
本実施例１においては、電飾装置１００を実際のクリスマスリース５１に装着した。図６は、電飾装置１００を装着した本実施例１に係るクリスマスリース５１を正面から写した写真である。また、図７は、本実施例１に係るクリスマスリース５１を背面から写した写真である。また、図８は、本実施例１に係るクリスマスリース５１を右側面から写した写真である。
【００４５】
正面側の図６においては、ワイヤーライト１０がクリスマスリース５１の全体に亘って巻き付けられ、リース用ＬＥＤ１２が均等に配置されている。但し、ワイヤーライト１０の給電ワイヤー１１は、クリスマスリース５１のリーフなどによってなるべく目立たないように配置されている。また、模擬キャンドル２０は、クリスマスリース５１の正面中央空間に配置されている。
【００４６】
また、図６においては、模擬キャンドル２０の模擬炎２２が炎ＬＥＤ２７からのスポットライトを受けて実際の炎のように揺らいでいる様子が確認できた。更に、クリスマスリース５１の正面からは、電池ケース３０、４０が見えないように配置されている。これらのことから、本実施例１によれば、クリスマスリース５１において、ワイヤーライト１０と模擬キャンドル２０とによる華やかな演出が実現できた。
【００４７】
一方、背面側の図７においては、ワイヤーライト１０がクリスマスリース５１の全体に亘って巻き付けられ、リース用ＬＥＤ１２が配置されている。また、模擬キャンドル２０は、キャンドル支持具２８の上面部２８ａに固定されてクリスマスリース５１の正面中央空間に配置されている。更に、電池ケース３０、４０は、ケース支持具３３、４３によってクリスマスリース５１の背面下方の左右に分かれて固定されている。これらの電池ケース３０、４０は、小型であって、クリスマスリース５１の正面から目立たないように配置されている。また、給電コード１３、２３及びコネクタ２４も、クリスマスリース５１の正面から目立たないように配置されている。
【００４８】
また、右側面側の図８においては、ワイヤーライト１０がクリスマスリース５１の全体に亘って巻き付けられ、リース用ＬＥＤ１２が配置されている。また、電池ケース３０、４０は、クリスマスリース５１の背面下方の左右に分かれて固定されている。これらの電池ケース３０、４０は、小型であって、クリスマスリース５１の正面から目立たないように配置されている。また、給電コード１３、２３及びコネクタ２４も、クリスマスリース５１の正面から目立たないように配置されている。
【実施例２】
【００４９】
本実施例２においては、電飾装置１００を上記実施例１とは異なるクリスマスリース５２に装着した。図９は、電飾装置１００を装着した本実施例２に係るクリスマスリース５２を正面から写した写真である。なお、本実施例２においては、クリスマスリース５２を背面及び側面から写した写真は省略する。上記実施例１と同様の配置となるからである。
【００５０】
図９においては、ワイヤーライト１０がクリスマスリース５２の全体に亘って巻き付けられ、リース用ＬＥＤ１２が均等に配置されている。但し、ワイヤーライト１０の給電ワイヤー１１は、クリスマスリース５２のリーフなどによってなるべく目立たないように配置されている。また、模擬キャンドル２０は、クリスマスリース５２の正面中央空間に配置されている。
【００５１】
また、図９においては、模擬キャンドル２０の模擬炎２２が炎ＬＥＤ２７からのスポットライトを受けて実際の炎のように揺らいでいる様子が確認できた。更に、クリスマスリース５２の正面からは、電池ケース３０、４０が見えないように配置されている。これらのことから、本実施例２によれば、クリスマスリース５２において、ワイヤーライト１０と模擬キャンドル２０とによる華やかな演出が実現できた。
【実施例３】
【００５２】
本実施例３においては、電飾装置１００を上記実施例１及び２とは異なるクリスマスリース５３に装着した。図１０は、電飾装置１００を装着した本実施例３に係るクリスマスリース５３を正面から写した写真である。なお、本実施例３においては、クリスマスリース５３を背面及び側面から写した写真は省略する。上記実施例１と同様の配置となるからである。
【００５３】
図１０においては、ワイヤーライト１０がクリスマスリース５３の全体に亘って巻き付けられ、リース用ＬＥＤ１２が均等に配置されている。但し、ワイヤーライト１０の給電ワイヤー１１は、クリスマスリース５３のリーフなどによって表面からはほとんど見えない。また、模擬キャンドル２０は、クリスマスリース５３の正面中央空間に配置されている。
【００５４】
また、図１０においては、模擬キャンドル２０の模擬炎２２が炎ＬＥＤ２７からのスポットライトを受けて実際の炎のように揺らいでいる様子が確認できた。更に、クリスマスリース５３の正面からは、電池ケース３０、４０が見えないように配置されている。これらのことから、本実施例３によれば、クリスマスリース５３において、ワイヤーライト１０と模擬キャンドル２０とによる華やかな演出が実現できた。
【実施例４】
【００５５】
本実施例４においては、電飾装置１００を上記実施例１〜３とは異なるクリスマスリース５４に装着した。図１１は、電飾装置１００を装着した本実施例４に係るクリスマスリース５４を正面から写した写真である。なお、本実施例４においては、クリスマスリース５４を背面及び側面から写した写真は省略する。上記実施例１と同様の配置となるからである。
【００５６】
図１１においては、ワイヤーライト１０がクリスマスリース５４の全体に亘って巻き付けられ、リース用ＬＥＤ１２が均等に配置されている。但し、ワイヤーライト１０の給電ワイヤー１１は、クリスマスリース５４のフラワーなどによって表面からはほとんど見えない。また、模擬キャンドル２０は、クリスマスリース５４の正面中央空間に配置されている。
【００５７】
また、図１１においては、模擬キャンドル２０の模擬炎２２が炎ＬＥＤ２７からのスポットライトを受けて実際の炎のように揺らいでいる様子が確認できた。更に、クリスマスリース５４の正面からは、電池ケース３０、４０が見えないように配置されている。これらのことから、本実施例４によれば、クリスマスリース５４において、ワイヤーライト１０と模擬キャンドル２０とによる華やかな演出が実現できた。
【実施例５】
【００５８】
本実施例５においては、電飾装置１００を上記実施例１〜４のクリスマスリースとは異なり、クリスマスツリー５５に装着した。図１２は、電飾装置１００を装着した本実施例５に係るクリスマスツリー５５を正面から写した写真である。なお、本実施例５においては、クリスマスツリー５５を背面及び側面から写した写真は省略する。
【００５９】
図１２においては、ワイヤーライト１０がクリスマスツリー５５の全体に亘って巻き付けられ、リース用ＬＥＤ１２が均等に配置されている。但し、ワイヤーライト１０の給電ワイヤー１１は、クリスマスリース５４のフラワーなどによってなるべく目立たないように配置されている。また、模擬キャンドル２０は、クリスマスツリー５５の正面中央部に配置されている。
【００６０】
また、図１２においては、模擬キャンドル２０の模擬炎２２が炎ＬＥＤ２７からのスポットライトを受けて実際の炎のように揺らいでいる様子が確認できた。更に、クリスマスツリー５５の正面からは、電池ケース３０、４０が見えないように配置されている。これらのことから、本実施例５によれば、クリスマスツリー５５において、ワイヤーライト１０と模擬キャンドル２０とによる華やかな演出が実現できた。
【００６１】
以上、説明したように、本考案によれば、クリスマスリースなどの装飾品において、１組の電源装置でワイヤーライトによる演出と模擬キャンドルによる演出とを同時に作動することができるコンパクトな電飾装置及びこれを用いた装飾品を提供することができる。
【００６２】
なお、本考案の実施にあたり、上記実施形態及び各実施例に限らず次のような種々の変形例が挙げられる。
（１）上記各実施例においては、バッテリーケースとして単三電子が２本収容できる電池ケースを２個使用したが、これに限るものではなく、リース用ＬＥＤと模擬キャンドルの出力を維持できるものであれば、電池の種類及びケースの形状につき任意に選定すればよい。但し、バッテリーケースが装飾品の正面から目立たないような形状とサイズを選定することが好ましい。
（２）上記各実施例においては、単三電池を３本使用したが、これに限るものではなく、リース用ＬＥＤと模擬キャンドルの出力を維持できるものであれば、電池の種類及び本数は任意に選定するようにしてもよい。
（３）上記各実施例においては、装飾品としてクリスマスリースとクリスマスツリーを使用したが、これに限るものではなく、他の装飾品、例えば、花束や壁掛けなどにワイヤーライトと模擬キャンドルとによる電飾を利用するようにしてもよい。
（３）上記各実施例においては、リース用ＬＥＤのワイヤーライト制御回路は定電流回路を使用したが、これに限るものではなく、リース用ＬＥＤを点滅させるための回路を併用するようにしてもよい。
【符号の説明】
【００６３】
１０…ワイヤーライト、１１…給電ワイヤー、１２…ＬＥＤライト（リース用ＬＥＤ）、
１３、２３…給電コード、１４、２４…コネクタ、１５、２５、４６…制御回路、
２０…模擬キャンドル、２１…キャンドル筒本体、２２…模擬炎、２６…揺らぎコイル、２７…炎ＬＥＤ、２８…キャンドル支持具、
３０、４０…電池ケース、３１、４１…ケース本体、３２、４２…蓋、
３３、４３…ケース支持具、３４、３５、４４、４５…電池収容部、
３６…結束用ワイヤー、５０、５１、５２、５３、５４…クリスマスリース、
５５…クリスマスツリー、１００…電飾装置。
【図１】
0003204667.tif 000003
【図２】
0003204667.tif 000004
【図３】
0003204667.tif 000005
【図４】
0003204667.tif 000006
【図５】
0003204667.tif 000007
【図６】
0003204667.tif 000008
【図７】
0003204667.tif 000009
【図８】
0003204667.tif 000010
【図９】
0003204667.tif 000011
【図１０】
0003204667.tif 000012
【図１１】
0003204667.tif 000013
【図１２】
0003204667.tif 000014